【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
第１始動条件の成立に応じて複数種類の第１識別情報を変動表示させ、表示結果を導出する第１変動表示装置と、第２始動条件の成立に応じて複数種類の第２識別情報を変動表示させ、表示結果を導出する第２変動表示装置と、のいずれかに特定表示結果が導出されたときに遊技者にとって有利な特定遊技状態に移行させ、前記特定遊技状態が終了した後に、前記第２始動条件の成立頻度が高まる有利遊技状態に制御し、前記第１変動表示装置における第１識別情報の変動表示に優先して前記第２変動表示装置における第２識別情報の変動表示を実行させる遊技機であって、
前記第１変動表示装置における第１識別情報の変動表示および前記第２変動表示装置における第２識別情報の変動表示に対応した演出用識別情報の変動表示を行う演出用変動表示手段と、
前記第１始動条件または前記第２始動条件が成立したときに、前記特定遊技状態に移行させるか否かを決定するための特定遊技状態決定用乱数と、演出用識別情報の変動パターンを決定するための変動決定用乱数とを抽出する抽出手段と、
前記第１始動条件が成立したにもかかわらず未だ開始されていない変動表示と前記第２始動条件が成立したにもかかわらず未だ開始されていない変動表示について、前記抽出手段が抽出した前記特定遊技状態決定用乱数と前記変動決定用乱数とを保留記憶として記憶する保留記憶手段と、
変動表示を開始させるときに、前記特定遊技状態決定用乱数を用いて、前記特定遊技状態に移行させるか否かを表示結果の導出以前に決定する事前決定手段と、
前記事前決定手段の決定結果と、変動表示を開始させるときの前記保留記憶手段が記憶する保留記憶数と、前記抽出手段により抽出された前記変動決定用乱数の値と、複数種類の変動パターンに対応した判定値とにもとづいて、演出用識別情報の変動パターンを決定する変動パターン決定手段と、
前記変動パターン決定手段の決定結果にもとづいて、演出用識別情報の変動表示を実行する変動実行手段と、
少なくとも前記第１始動条件が成立したときに前記抽出手段により抽出された前記特定遊技状態決定用乱数の値と前記変動決定用乱数の値とにもとづいて、当該第１始動条件の成立にもとづく対象変動表示が開始される以前に、特定演出を実行可能である特定演出実行手段とを備え、
前記複数種類の変動パターンは、リーチ表示態様が出現しない非リーチ変動パターンと、前記リーチ表示態様が出現し変動表示の開始から終了までに所定時間を要するノーマルリーチ変動パターンと、前記リーチ表示態様が出現し変動表示の開始から終了までに前記所定時間より長い時間を要するスーパーリーチ変動パターンと、を含み、
前記スーパーリーチ変動パターンに対応した判定値のうちの少なくとも一部は、変動表示を開始するときの前記保留記憶手段が記憶する保留記憶数にかかわらず、同一判定値が設定され、
前記非リーチ変動パターンおよび前記ノーマルリーチ変動パターンに対応した判定値は、変動表示を開始するときの前記保留記憶手段が記憶する保留記憶数に応じて異なる判定値が設定され、
前記非リーチ変動パターンは、演出用識別情報の変動表示の開始から終了までの時間が短い短縮用変動パターンを含み、
前記変動パターン決定手段は、変動表示を開始させるときの前記保留記憶手段が記憶する保留記憶数が所定数以上である場合には、該保留記憶数が所定数未満である場合と比較して、前記短縮用変動パターンに対応した判定値の個数が多く設定された判定値を用いて変動パターンを決定し、
前記特定演出実行手段は、前記対象変動表示が開始される以前に実行される変動表示について、前記第１始動条件が成立したときに抽出された前記変動決定用乱数の値が少なくとも前記同一判定値と合致するときに、前記特定演出の実行を制限可能であり、
前記特定遊技状態に移行されている場合または前記有利遊技状態に制御されている場合に前記第１始動条件が成立したときに、該第１始動条件の成立により前記抽出手段が抽出した前記特定遊技状態決定用乱数の値と前記変動決定用乱数の値とにもとづく前記特定演出を実行しない、
ことを特徴とする遊技機。
【請求項２】
所定演出を実行するとともに、演出の実行を制限する演出実行手段をさらに備える、
ことを特徴とする請求項１に記載の遊技機。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
本発明は、期待感を遊技者に与えることを目的とする。
【手続補正４】
【補正対象書類名】明細書
【補正対象項目名】００１０
【補正方法】変更
【補正の内容】
【００１０】
上記目的を達成するため、本発明にかかる遊技機は、
第１始動条件（始動入賞口１４ａへの遊技球の入賞）の成立に応じて複数種類の第１識別情報を変動表示させ、表示結果を導出する第１変動表示装置（特別図柄表示器１１ａ）と、第２始動条件（始動入賞口１４ｂへの遊技球の入賞）の成立に応じて複数種類の第２識別情報を変動表示させ、表示結果を導出する第２変動表示装置（特別図柄表示器１１ｂ）と、のいずれかに特定表示結果（大当たり）が導出されたときに遊技者にとって有利な特定遊技状態（大当たり遊技状態）に移行させ、前記特定遊技状態が終了した後に、前記第２始動条件の成立頻度が高まる有利遊技状態（時短状態）に制御し、前記第１変動表示装置における第１識別情報の変動表示に優先して前記第２変動表示装置における第２識別情報の変動表示を実行（電チューサポートありの始動入賞口１４ｂの入賞を優先して特別図柄の変動表示を実行）させる遊技機（パチンコ遊技機１）であって、
前記第１変動表示装置における第１識別情報の変動表示および前記第２変動表示装置における第２識別情報の変動表示に対応した演出用識別情報の変動表示を行う演出用変動表示手段（可変表示装置９）と、
前記第１始動条件または前記第２始動条件が成立したときに、前記特定遊技状態に移行させるか否かを決定するための特定遊技状態決定用乱数と、演出用識別情報の変動パターンを決定するための変動決定用乱数とを抽出する抽出手段と、
前記第１始動条件が成立したにもかかわらず未だ開始されていない変動表示と前記第２始動条件が成立したにもかかわらず未だ開始されていない変動表示について、前記抽出手段が抽出した前記特定遊技状態決定用乱数と前記変動決定用乱数とを保留記憶として記憶する保留記憶手段（ＲＡＭ５５の保留記憶バッファ）と、
変動表示を開始させるときに、前記特定遊技状態決定用乱数を用いて、前記特定遊技状態に移行させるか否かを表示結果の導出以前に決定する事前決定手段（ＣＰＵ５６）と、
前記事前決定手段の決定結果と、変動表示を開始させるときの前記保留記憶手段が記憶する保留記憶数と、前記抽出手段により抽出された前記変動決定用乱数の値と、複数種類の変動パターンに対応した判定値とにもとづいて、演出用識別情報の変動パターンを決定する変動パターン決定手段（ＣＰＵ５６（図４））と、
前記変動パターン決定手段の決定結果にもとづいて、演出用識別情報の変動表示（飾り図柄の変動表示）を実行する変動実行手段（表示制御基板８０の表示制御用ＣＰＵ）と、
少なくとも前記第１始動条件が成立したときに前記抽出手段により抽出された前記特定遊技状態決定用乱数の値と前記変動決定用乱数の値とにもとづいて、当該第１始動条件の成立にもとづく対象変動表示が開始される以前に、特定演出を実行可能である特定演出実行手段（表示制御基板８０の表示制御用ＣＰＵ）とを備え、
前記複数種類の変動パターンは、リーチ表示態様が出現しない非リーチ変動パターンと、前記リーチ表示態様が出現し変動表示の開始から終了までに所定時間を要するノーマルリーチ変動パターンと、前記リーチ表示態様が出現し変動表示の開始から終了までに前記所定時間より長い時間を要するスーパーリーチ変動パターンと、を含み、
前記スーパーリーチ変動パターンに対応した判定値のうちの少なくとも一部は、変動表示を開始するときの前記保留記憶手段が記憶する保留記憶数にかかわらず、同一判定値が設定され（スーパーリーチハズレの種別を選択する乱数の範囲は、保留記憶数が２以下のときも３以上のときも同じ（図４））、
前記非リーチ変動パターンおよび前記ノーマルリーチ変動パターンに対応した判定値は、変動表示を開始するときの前記保留記憶手段が記憶する保留記憶数に応じて異なる判定値が設定され（非リーチハズレ、ノーマルリーチハズレの種別を選択する乱数の範囲は、保留記憶数が２以下のときと３以上のときとで異なる（図４））、
前記非リーチ変動パターンは、演出用識別情報の変動表示の開始から終了までの時間が短い短縮用変動パターンを含み、
前記変動パターン決定手段は、変動表示を開始させるときの前記保留記憶手段が記憶する保留記憶数が所定数以上である場合には、該保留記憶数が所定数未満である場合と比較して、前記短縮用変動パターンに対応した判定値の個数が多く設定された判定値を用いて変動パターンを決定し、
前記特定演出実行手段は、前記対象変動表示が開始される以前に実行される変動表示について、前記第１始動条件が成立したときに抽出された前記変動決定用乱数の値が少なくとも前記同一判定値と合致するときに、前記特定演出の実行を制限可能であり（ノーマルリーチハズレ、スーパーリーチハズレ、確率変動大当たり、確変潜伏大当たり、時短大当たりの変動パターンが保留記憶されているときには、先読み予告を実行しない）、
前記特定遊技状態に移行されている場合または前記有利遊技状態に制御されている場合に前記第１始動条件が成立したときに、該第１始動条件の成立により前記抽出手段が抽出した前記特定遊技状態決定用乱数の値と前記変動決定用乱数の値とにもとづく前記特定演出を実行しない（第１大当たり遊技状態または時短状態では、電チューサポートなしの始動入賞口１４ａの入賞に対して先読み予告を行わない）、
ことを特徴とする。
上記遊技機において、
所定演出を実行するとともに、演出の実行を制限する演出実行手段をさらに備える。
上記遊技機において、
前記変動表示を行う遊技状態として、所定遊技状態（確率変動状態でない時短状態）と、該所定遊技状態と前記始動条件の成立状況が共通する遊技状態であって該所定遊技状態よりも前記特定遊技状態に移行されやすい特別遊技状態（確率変動状態）と、を含む複数種類の遊技状態のうちの何れかの遊技状態に制御する遊技状態制御手段（確率変動大当たり、確変潜伏大当たりが発生すると、第１大当たり遊技状態の終了後に確率変動状態に制御し、時短大当たりが発生すると、第１大当たり遊技状態の終了後に確率変動状態でない時短状態に制御：ＣＰＵ５６）と、
前記演出用変動表示手段において実行される演出のモードを、遊技状態が前記所定遊技状態と前記特別遊技状態の何れに制御されているかが特定不能であるとともに該特別遊技状態に制御されていることの期待度が通常モード（通常モード）よりも高い特別モード（確変潜伏モード）を含む複数種類のモードのうちの何れかに制御する手段であって、少なくとも特別移行条件が成立したことに基づいて前記特別モードに制御するモード制御手段（表示制御基板８０の表示制御用ＣＰＵ（図６（ａ）〜（ｃ）））とを備え、
前記モード制御手段は、前記特定演出実行手段により前記特定演出が実行されるときに、モードの移行を規制するモード移行規制手段（通常モードから確変潜伏モードへの移行を禁止：表示制御基板８０の表示制御用ＣＰＵ）を備える。
【手続補正５】
【補正対象書類名】明細書
【補正対象項目名】００１２
【補正方法】変更
【補正の内容】
【００１２】
上記遊技機では、事前決定手段の決定に基づいて特定表示結果とする旨が決定されると、これに基づいて遊技者にとって有利な特定遊技状態に遊技状態が制御されるが、さらに特別遊技状態に制御されているときには、所定遊技状態に制御されているときよりも特定遊技状態に移行されやすくなる。ここで、演出用変動表示手段には、事前決定手段の決定結果に応じた表示結果が導出されるが、特別モードにおいては、特別遊技状態に制御されているか否かを特定することはできないものとなっている。